(57)【要約】【課題】外耳道に挿入された際に弾性変形部が変形しても、外耳道の内外の連通を維持することができ、環境音が遮断されることがなく、音の抜けが良好で、切れの良い低音及びクリアな中高音を再現することができ、装着感が良好で、音質が高くなるようにする。【解決手段】弾性変形可能な材料から成り、先端部が外耳道に挿入可能なイヤーパッドであって、イヤホンの発生する音を外耳道に入射させる音導孔が形成された筒状の本体部と、本体部の先端に接続され、先端から後端に向けて斜めに広がる弾性変形部とを有し、弾性変形部は、本体部の先端側から観て放射状に延在する複数のスリット状の開口部を備え、本体部は、その外周面における開口部の各々に対応する位置に形成された軸方向に延在する溝を備え、弾性変形部が変形して本体部の外周面に押付けられると、開口部とそれに対応する溝とが重なり合う。【選択図】図１
2011049654.tif 000002
【特許請求の範囲】
【請求項１】
（ａ）弾性変形可能な材料から成り、イヤホンの筐体に取付けられ、少なくとも先端部が外耳道に挿入可能なイヤーパッドであって、
（ｂ）前記イヤホンの発生する音を外耳道に入射させる音導孔が形成された筒状の本体部と、
（ｃ）該本体部の先端に接続され、該先端から後端に向けて斜めに広がる弾性変形部とを有し、
（ｄ）該弾性変形部は、前記本体部の先端側から観て放射状に延在する複数のスリット状の開口部を備え、
（ｅ）前記本体部は、その外周面における前記開口部の各々に対応する位置に形成された軸方向に延在する溝を備え、
（ｆ）前記弾性変形部が変形して前記本体部の外周面に押付けられると、前記開口部とそれに対応する溝とが重なり合うことを特徴とするイヤーパッド。
【請求項２】
前記開口部の先端は前記音導孔の先端に連通する請求項１に記載のイヤーパッド。
【請求項３】
前記開口部の先端は前記溝の先端と連続する請求項１又は２に記載のイヤーパッド。
【請求項４】
請求項１〜３のいずれか１項に記載のイヤーパッドを有するイヤホンであって、
筒状の耳介挿入部を含む筐体と、該筐体内に配設された音を発生するドライバユニットとを有し、
前記耳介挿入部に前記イヤーパッドの本体部が取付けられるイヤホン。
【請求項５】
前記筐体は、前記耳介挿入部の基端に接続された円錐部を含み、
該円錐部は、その表面における前記開口部の各々に対応する位置に形成された軸方向に延在する溝を備え、
該溝の先端は、前記イヤーパッドの本体部が備える溝の後端と連通する請求項４に記載のイヤホン。
【発明の詳細な説明】
【技術分野】
【０００１】
本発明は、少なくとも一部が外耳道に挿入されるイヤーパッド及び該イヤーパッドを有するイヤホンに関するものである。
【背景技術】
【０００２】
従来、耳介に装着されて使用されるイヤホンとして、耳介の凹部から外耳道に挿入される部分に、弾性を備える軟質のゴム等から成るイヤーパッドを取付けたものが知られている（例えば、特許文献１参照。）。このようなイヤホンは、イヤーパッドを耳介の凹部から外耳道に挿入して装着するので、耳介に確実に装着することができる。また、イヤーパッドが弾性を備える材料から成るので、外耳道の形状に合せて容易に弾性変形させることができ、良好な装着感を得ることができる。
【０００３】
図６は従来のイヤホンの構造を示す部分断面図である。
【０００４】
図において、８１１はイヤホンのハウジングであり、その内部には振動板等を備える図示されないドライバユニットが装着され、その下端には、音楽プレーヤ、テレビ、ラジオ、ビデオデッキ等の図示されない音響機器に他端接続される電線ケーブル８９１の一端が接続されている。また、前記ハウジング８１１の右端には、右方へ向けて延出する音導管８１５の基端が一体的に接続されている。なお、前記音導管８１５内には、ハウジング８１１内の空間に連通する音導孔（こう）８１６が形成されている。
【０００５】
そして、前記音導管８１５の周囲には、軟質のゴム等から成るイヤーパッド８５０の基部８５１が嵌（かん）着されている。前記イヤーパッド８５０は、基部８５１から右方へ向けて延出する導管部８５２と、該導管部８５２の先端から周囲へ広がる肉薄の笠（かさ）部８５５とを備え、前記導管部８５２には音導孔８１６に連通するとともに笠部８５５の中心に開口する導孔部８５３が形成されている。また、前記笠部８５５には、複数の小孔（あな）８５６が穿（せん）設されている。
【０００６】
イヤホンを装着すると、イヤーパッド８５０の先端部が外耳道に挿入され、笠部８５５によって外耳道の内外が遮断されるが、小孔８５６の存在によって外耳道の内外が連通するので、イヤホン装着時であっても、警報等の外部の環境音が外耳道の内部に入射して鼓膜に到達し、安全性が低下することがない。
【先行技術文献】
【特許文献】
【０００７】
【特許文献１】実用新案登録第３１２１８９３号公報
【発明の概要】
【発明が解決しようとする課題】
【０００８】
しかしながら、前記従来のイヤホンにおいては、笠部８５５が肉薄なので、イヤーパッド８５０の先端部を外耳道に挿入すると、該外耳道によって押圧され変形した笠部８５５が導管部８５２の外周に押付けられ、小孔８５６が塞（ふさ）がれてしまう。そのため、笠部８５５によって外耳道の内外が遮断され、外部の環境音が鼓膜に到達しなくなってしまう。また、音導孔８１６及び導孔部８５３を通して外耳道に入射したドライバユニットからの音が外に抜けないので、いわゆる、音の抜けが悪くなり、音にこもり感、もごつき感等が生じ、音質が低下してしまう。
【０００９】
本発明は、前記従来の問題点を解決して、筒状の本体部の先端に接続された笠状の弾性変形部に、先端側から観て、放射状に延在する複数のスリット状の開口部を形成するとともに、前記本体部の外周に、前記開口部に連通するとともに軸方向に延在する複数の溝を形成することによって、外耳道に挿入された際に弾性変形部が変形しても、外耳道の内外の連通を維持することができ、環境音が遮断されることがなく、音の抜けが良好で、切れの良い低音及びクリアな中高音を再現することができ、装着感が良好で、音質が高いイヤーパッド及びそれを有するイヤホンを提供することを目的とする。
【課題を解決するための手段】
【００１０】
そのために、本発明のイヤーパッドにおいては、弾性変形可能な材料から成り、イヤホンの筐（きょう）体に取付けられ、少なくとも先端部が外耳道に挿入可能なイヤーパッドであって、前記イヤホンの発生する音を外耳道に入射させる音導孔が形成された筒状の本体部と、該本体部の先端に接続され、該先端から後端に向けて斜めに広がる弾性変形部とを有し、該弾性変形部は、前記本体部の先端側から観て放射状に延在する複数のスリット状の開口部を備え、前記本体部は、その外周面における前記開口部の各々に対応する位置に形成された軸方向に延在する溝を備え、前記弾性変形部が変形して前記本体部の外周面に押付けられると、前記開口部とそれに対応する溝とが重なり合う。
【００１１】
本発明の他のイヤーパッドにおいては、さらに、前記開口部の先端は前記音導孔の先端に連通する。
【００１２】
本発明の更に他のイヤーパッドにおいては、さらに、前記開口部の先端は前記溝の先端と連続する。
【００１３】
本発明のイヤホンにおいては、本発明のイヤーパッドを有するイヤホンであって、筒状の耳介挿入部を含む筐体と、該筐体内に配設された音を発生するドライバユニットとを有し、前記耳介挿入部に前記イヤーパッドの本体部が取付けられる。
【００１４】
本発明の他のイヤホンにおいては、さらに、前記筐体は、前記耳介挿入部の基端に接続された円錐（すい）部を含み、該円錐部は、その表面における前記開口部の各々に対応する位置に形成された軸方向に延在する溝を備え、該溝の先端は、前記イヤーパッドの本体部が備える溝の後端と連通する。
【発明の効果】
【００１５】
本発明によれば、イヤーパッドは、筒状の本体部の先端に接続された笠状の弾性変形部に、先端側から観て、放射状に延在する複数のスリット状の開口部が形成されているとともに、本体部の外周に、開口部に連通するとともに軸方向に延在する複数の溝が形成されている。これにより、外耳道に挿入された際に弾性変形部が変形しても、外耳道の内外の連通を維持することができ、環境音が遮断されることがなく、音の抜けが良好で、切れの良い低音及びクリアな中高音を再現することができ、装着感が良好となり、音質を向上させることができる。
【図面の簡単な説明】
【００１６】
【図１】本発明の実施の形態におけるイヤホンの斜視図であって部分破断図である。
【図２】本発明の実施の形態におけるイヤホンの五面図であって、（ａ）は上面図、（ｂ）は左側面図、（ｃ）は背面図、（ｄ）は右側面図、（ｅ）は正面図である。
【図３】本発明の実施の形態におけるイヤホンの断面図であって図２（ｃ）におけるＡ−Ａ矢視断面図である。
【図４】本発明の実施の形態におけるイヤーパッドの四面図であって、（ａ）は左側面図、（ｂ）は背面図、（ｃ）は右側面図、（ｄ）は正面図である。
【図５】本発明の実施の形態におけるイヤーパッドの断面図であって、（ａ）は図４（ｂ）におけるＢ−Ｂ矢視断面図、（ｂ）は図４（ｂ）におけるＣ−Ｃ矢視断面図、（ｃ）は図４（ｃ）におけるＤ−Ｄ矢視断面図、（ｄ）は図４（ｃ）におけるＥ−Ｅ矢視断面図である。
【図６】従来のイヤホンの構造を示す部分断面図である。
【発明を実施するための形態】
【００１７】
以下、本発明の実施の形態について図面を参照しながら詳細に説明する。
【００１８】
図１は本発明の実施の形態におけるイヤホンの斜視図であって部分破断図、図２は本発明の実施の形態におけるイヤホンの五面図、図３は本発明の実施の形態におけるイヤホンの断面図であって図２（ｃ）におけるＡ−Ａ矢視断面図である。なお、図２において、（ａ）は上面図、（ｂ）は左側面図、（ｃ）は背面図、（ｄ）は右側面図、（ｅ）は正面図である。
【００１９】
図において、１０は本実施の形態におけるイヤホンであり、使用者の耳介に装着されて使用され、電気信号である音声信号によって駆動され、該音声信号を再生する小型の音声発生器である。そして、前記イヤホン１０は、音声信号を再生して音を発生するスピーカユニットとしてのドライバユニット４１を内蔵するハウジングとしての筐体１１と、該筐体１１に取付けられ、少なくともその先端部５５が使用者の外耳道に挿入可能なイヤーパッド５０とを有する。
【００２０】
前記筐体１１は、その正面側に位置する前筐体１２と、該前筐体１２の基部１２ａの後側に結合される円錐台状の後筐体１３と、該後筐体１３の後側に結合される蓋（ふた）筐体１４とを備える。そして、ドライバユニット４１は、図３に示されるように、前筐体１２と後筐体１３とによって前後（図３における上下）が挟込まれた状態で、前記筐体１１内に保持される。また、後筐体１３の後面は、蓋筐体１４によって塞がれ、これにより、筐体１１内におけるドライバユニット４１の後方（図３における下方）に、円錐台と円筒とを組合せた形状の空間である後方空間２４が形成される。該後方空間２４におけるドライバユニット４１と対向する面は、蓋筐体１４の内面であってドライバユニット４１の図示されない振動板と平行な平面である。また、前記ドライバユニット４１は、いわゆるダイナミック型のものであって、前記振動板を振動させて音を発生する。
【００２１】
なお、図に示される例において、蓋筐体１４は、後筐体１３と別個の部材であるが、後筐体１３と一体的に形成されたものであってもよい。また、前記筐体１１は、例えば、合成樹脂等の樹脂から成るが、アルミニウム、鋼、銅等の金属から成るものであってもよいし、樹脂、カーボン、金属等を複合した複合材から成るものであってもよい。
【００２２】
さらに、前記蓋筐体１４には、ドライバユニット４１に一端が接続された電線ケーブル９１の一部を取囲んで保持する筒状のケーブル保持部１５の上端が取付けられている。なお、該ケーブル保持部１５は、蓋筐体１４と一体的に形成されたものであってもよい。そして、ケーブル保持部１５の下端からは、電線ケーブル９１が延出する。なお、図１及び２においては、図示の都合上、電線ケーブル９１は、ケーブル保持部１５に近接する部分のみが描画され、他の部分は描画が省略されている。そして、電線ケーブル９１の図示されない他端には、音楽プレーヤ、テレビ、ラジオ、ビデオデッキ等の図示されない音響機器が接続される。
【００２３】
前記前筐体１２は、円筒状の基部１２ａに加えて、該基部１２ａから前方に向けて突出する円錐台状の円錐部１６と、該円錐部１６の先端から突出する筒状の耳介挿入部としてのパッド取付部１７とを含んでいる。前記円錐部１６は、その先端の径がその基端（基部１２ａに接続される部分）よりも小さく、これにより、筐体１１内におけるドライバユニット４１の前方（図３における上方）に、円錐台状の空間である前方空間２１が形成される。また、前記パッド取付部１７には、後端が前方空間２１に連通し、前端が開放された円筒状開口である音導孔としての筐体音導孔２２が形成されている。これにより、ドライバユニット４１が発生した音が、前方空間２１及び筐体音導孔２２を通して使用者の外耳道に入射する。なお、図に示される例において、円錐部１６は、その先端の軸心が基端の軸心に対して右方に傾斜するように形成されているが、その先端の軸心は基端の軸心に対していずれの方向に傾斜していてもよいし、また、必ずしも傾斜している必要もなく、先端の軸心は基端の軸心に対して平行であってもよい。
【００２４】
そして、前筐体１２の円錐部１６には空気抜きとしての前方エアダクト２５が形成されている。該前方エアダクト２５は、円錐部１６を貫通するように形成された断面円形の孔であり、前方空間２１と外部とを連通し、前方空間２１内の空気が外部に逃げることを可能とする。なお、前方エアダクト２５は、円錐部１６における基部１２ａに近接した部分、すなわち、前方を向いた面の部分に形成されている。つまり、前方エアダクト２５は、前方を向くように形成され、前方空間２１内の空気を前方に向けて逃がすようになっている。なお、前方エアダクト２５の径は、例えば、１．２〔ｍｍ〕であるが、ドライバユニット４１の性能、前方空間２１の大きさ等に応じて変更することができる。
【００２５】
また、後筐体１３には、空気抜きとしての後方エアダクト２８と、音質調整孔としての第１調整孔２７ａ及び第２調整孔２７ｂとが形成されている。なお、第１調整孔２７ａ及び第２調整孔２７ｂを統括的に説明する場合には、調整孔２７として説明する。
【００２６】
前記後方エアダクト２８は、後筐体１３を貫通するように形成された断面円形の孔であり、後方空間２４と外部とを連通し、後方空間２４内の空気が外部に逃げることを可能とする。なお、後方エアダクト２８は、後筐体１３における側方を向いた面の部分に形成されている。つまり、後方エアダクト２８は、側方を向くように形成され、後方空間２４内の空気を側方に向けて逃がすようになっている。なお、後方エアダクト２８の径は、前記前方エアダクト２５と等しくなるように設定されているが、ドライバユニット４１の性能、後方空間２４の大きさ等に応じて変更することができる。このように、同一径の空気抜き、すなわち、前方エアダクト２５及び後方エアダクト２８を前方空間２１及び後方空間２４に配設することによって、音の歪（ひず）みや反響を是正することができるとともに、ドライバユニット４１の振動板にかかる負荷を軽減することができる。
【００２７】
また、前記第１調整孔２７ａ及び第２調整孔２７ｂは、後筐体１３を貫通するように形成された断面円形の孔であり、後方空間２４と外部とを連通するとともに、後方エアダクト２８に隣接し、かつ、後筐体１３における同一円周上に一列となるように並んで配設される。そして、第１調整孔２７ａの径は後方エアダクト２８の径より小さく、第２調整孔２７ｂの径は第１調整孔２７ａの径より小さくなるように形成されている。
【００２８】
第１調整孔２７ａの径は、例えば、０．８〔ｍｍ〕である。第１調整孔２７ａの径をこのような値とすることによって、１２００〔Ｈｚ〕を中心とした周波数帯の音をコントロールし、周波数レスポンスをよりスムーズにし、音質を向上させることができる。また、第２調整孔２７ｂの径は、例えば、０．４〔ｍｍ〕である。第２調整孔２７ｂの径をこのような値とすることによって、２００〔Ｈｚ〕を中心とした周波数帯の音をコントロールし、周波数レスポンスをよりスムーズにし、音質を向上させることができる。
【００２９】
なお、図に示される例において、調整孔２７は第１調整孔２７ａ及び第２調整孔２７ｂの２つであるが、調整孔２７は１つであってもよいし、３つ以上であってもよい。また、調整孔２７の径は、コントロールの対象となる音の周波数帯に応じて変更することができる。すなわち、低周波数帯域の音をコントロールするためには、調整孔２７の径を小さくすればよく、高周波数帯域の音をコントロールするためには、調整孔２７の径を大きくすればよい。
【００３０】
そして、前記パッド取付部１７には、イヤーパッド５０が取付けられている。該イヤーパッド５０は、例えば、シリコーンゴム等の軟質の弾性変形可能な材料から成り、一体成形された部材であり、パッド取付部１７の周囲に嵌着された筒状の本体部５１と、該本体部５１の先端から後端に向けて斜めに広がる弾性変形部としての笠部５３とを備える。なお、本体部５１の後端には、内方に向けて突出する肉厚のフランジ状の係合凸部５２が形成されている。該係合凸部５２は、パッド取付部１７の基端部（円錐部１６の先端との接続部）に形成された溝状の係合凹部１７ａと係合し、パッド取付部１７からイヤーパッド５０が外れることを防止する。
【００３１】
該イヤーパッド５０は、全体としてキノコ又は傘のような形状を有し、その先端部５５において、本体部５１の先端に笠部５３の先端が接続され、本体部５１の外周面と笠部５３の内周面との間には空洞部６５が形成されている。そして、本体部５１の中心には、前後端が開放された円筒状開口である音導孔としてのパッド音導孔６１が形成されている。パッド取付部１７にイヤーパッド５０が取付けられた状態で、パッド音導孔６１は筐体音導孔２２と連通する。
【００３２】
また、笠部５３は後方に向けて広がるような円錐台状の前半部５３ａと、該前半部５３ａの後端から後方に延出する円筒状の後半部５３ｂとを備える。笠部５３は、本体部５１よりも肉薄であって柔軟性を備え、力を受けることによって容易に弾性変形するようになっている。したがって、イヤーパッド５０が外耳道に挿入された際、笠部５３は、外耳道の内面形状に適合するように弾性変形し、外耳道に損傷を与えることがなく、外耳道の内面に反力を加えることなく密着するので、装着感、フィット感等が良好となる。
【００３３】
さらに、笠部５３の前半部５３ａには、先端側から観て、放射状に延在する複数（図に示される例においては６つ）のスリット状の開口部６２が形成されている。使用者がイヤホン１０を装着すると、イヤーパッド５０が外耳道に挿入され、笠部５３によって外耳道の内外が遮断される。しかし、開口部６２の存在によって外耳道の内外が連通するので、イヤホン１０を装着したときであっても、警報等の外部の環境音が外耳道の内部に入射して鼓膜に到達し、安全性が低下することがない。また、外耳道の内部の空気が開口部６２を通して外部に抜けるので、ドライバユニット４１から筐体音導孔２２及びパッド音導孔６１を通って外耳道の内部に入射した音の圧迫感、こもり感等が低減される。そのため、低音の切れが良好となり、中高音がクリアとなる。また、ドライバユニット４１からの音が鼓膜を圧迫しないので、健康面でも良好である。
【００３４】
なお、本体部５１の外周面には、前記開口部６２の各々に対応する位置に、前後方向、すなわち、本体部５１の軸方向に延在する溝としてのパッド溝６３が形成されている。そのため、イヤーパッド５０が外耳道に挿入された際、笠部５３が変形して本体部５１の外周面に押付けられた状態となっても、開口部６２とそれに対応するパッド溝６３とが互いに重なり合うので、外耳道の内外の連通が維持される。
【００３５】
さらに、前筐体１２の円錐部１６の表面における少なくともパッド取付部１７との接続部近傍には、前記パッド溝６３の各々に対応する位置に、前後方向、すなわち、円錐部１６の軸方向に延在する溝としての筐体溝３１が形成されている。そして、該筐体溝３１は、その先端が前記パッド溝６３の後端と連通するとともに、笠部５３の後端よりも後方にまで延在する。そのため、イヤーパッド５０が外耳道に挿入された際、笠部５３が変形して、本体部５１の外周面のみならず、円錐部１６の表面に押付けられた状態となっても、開口部６２とそれに対応するパッド溝６３及び筐体溝３１とが互いに連通するので、外耳道の内外の連通が維持される。
【００３６】
次に、前記イヤーパッド５０の構成について詳細に説明する。
【００３７】
図４は本発明の実施の形態におけるイヤーパッドの四面図、図５は本発明の実施の形態におけるイヤーパッドの断面図である。なお、図４において、（ａ）は左側面図、（ｂ）は背面図、（ｃ）は右側面図、（ｄ）は正面図、図５において、（ａ）は図４（ｂ）におけるＢ−Ｂ矢視断面図、（ｂ）は図４（ｂ）におけるＣ−Ｃ矢視断面図、（ｃ）は図４（ｃ）におけるＤ−Ｄ矢視断面図、（ｄ）は図４（ｃ）におけるＥ−Ｅ矢視断面図である。
【００３８】
本体部５１の先端と笠部５３の先端とは先端接続部５４によって接続され、各開口部６２の先端は、連通凹部６４を介して、パッド音導孔６１の先端に連通している。そして、イヤーパッド５０の円周状の先端部５５において、先端接続部５４と連通凹部６４とが交互に配置されている。そのため、ドライバユニット４１から筐体音導孔２２及びパッド音導孔６１を通って外耳道の内部に入射した音は、その一部が連通凹部６４を介して開口部６２から外部に抜けるので、圧迫感、こもり感等が低減され、クリアとなる。
【００３９】
なお、先端接続部５４は、図５（ａ）に示されるように、笠部５３よりも肉厚であるから、該笠部５３よりも剛性が高く、変形しにくい。また、先端接続部５４の間に挟まれたように配設されている連通凹部６４は、側面から観て、先端部５５の先端縁、すなわち、先端接続部５４の先端縁よりも後方に凹入するように形成されている。そのため、イヤーパッド５０が外耳道に挿入された際に笠部５３が変形しても、連通凹部６４が閉塞（そく）されることがなく、パッド音導孔６１と開口部６２との連通が維持される。なお、前述のように、笠部５３が変形して、本体部５１の外周面のみならず、円錐部１６の表面に押付けられた状態となっても、開口部６２とパッド溝６３と筐体溝３１とが連通する。したがって、パッド音導孔６１から連通凹部６４、開口部６２、パッド溝６３及び筐体溝３１を通って外部までの音の通り道が安定的に確保されるので、圧迫感、こもり感等が安定的に低減され、クリアな音質が維持される。
【００４０】
また、図５（ｂ）に示されるように、開口部６２は、その先端においてパッド溝６３の先端と連続するように形成されていることが望ましい。この場合、笠部５３が大きく変形しても、開口部６２とパッド溝６３との連通は安定的に維持される。
【００４１】
さらに、笠部５３の前半部５３ａには、図４（ｄ）に示されるように、正面から観て放射状に延在する複数のスリット状の開口部６２が形成されている。そのため、該開口部６２の存在によって前半部５３ａの剛性が低下して変形しやすくなり、イヤーパッド５０が外耳道に挿入された際、前半部５３ａのみならず、笠部５３の全体が柔軟に弾性変形して外耳道の内面形状に適合する。したがって、外耳道に損傷を与えることがなく、安全性が高く、また、笠部５３が外耳道の内面に反力を加えることなく密着するので、装着感、フィット感等が良好となる。
【００４２】
なお、図に示される例において、開口部６２、パッド溝６３、筐体溝３１及び連通凹部６４の数は、各々、６つであるが、必ずしも６つである必要はなく、５つ以下であってもよいし、７つ以上であってもよい。
【００４３】
このように、本実施の形態において、イヤーパッド５０は、イヤホン１０の発生する音を外耳道に入射させるパッド音導孔６１が形成された筒状の本体部５１と、本体部５１の先端に接続され、先端から後端に向けて斜めに広がる笠部５３とを有し、笠部５３は、本体部５１の先端側から観て放射状に延在する複数のスリット状の開口部６２を備え、本体部５１は、その外周面における開口部６２の各々に対応する位置に形成された軸方向に延在するパッド溝６３を備え、笠部５３が変形して本体部５１の外周面に押付けられると、開口部６２とそれに対応するパッド溝６３とが重なり合う。
【００４４】
これにより、イヤーパッド５０が外耳道に挿入された際、笠部５３が変形して本体部５１の外周面に押付けられた状態となっても、外耳道の内外の連通が維持される。したがって、警報等の外部の環境音が外耳道の内部に入射して鼓膜に到達するので、安全性が低下することがない。また、外耳道の内部の空気が開口部６２を通して外部に抜けるので、イヤホン１０から外耳道の内部に入射した音の圧迫感、こもり感等が低減される。そのため、低音の切れが良好となり、中高音がクリアとなる。さらに、イヤホン１０からの音が鼓膜を圧迫しないので、健康面でも良好である。
【００４５】
また、開口部６２の先端はパッド音導孔６１の先端に連通する。これにより、パッド音導孔６１を通って外耳道の内部に入射した音は、その一部が連通凹部６４を介して開口部６２から外部に抜けるので、圧迫感、こもり感等が低減され、クリアとなる。
【００４６】
さらに、開口部６２の先端はパッド溝６３の先端と連続する。これにより、笠部５３が大きく変形しても、開口部６２とパッド溝６３との連通が安定的に維持される。
【００４７】
また、イヤホン１０は、筒状のパッド取付部１７を含む筐体１１と、筐体１１内に配設された音を発生するドライバユニット４１とを有し、パッド取付部１７にイヤーパッド５０の本体部５１が取付けられる。
【００４８】
これにより、イヤーパッド５０が外耳道に挿入された際、笠部５３が変形して本体部５１の外周面に押付けられた状態となっても、外耳道の内外の連通が維持される。したがって、警報等の外部の環境音が遮断されることがなく、音の抜けが良好で、切れの良い低音及びクリアな中高音を再現することができ、装着感が良好となり、音質が向上する。
【００４９】
また、筐体１１は、パッド取付部１７の基端に接続された円錐部１６を含み、円錐部１６は、その表面における開口部６２の各々に対応する位置に形成された軸方向に延在する筐体溝３１を備え、筐体溝３１の先端は、イヤーパッド５０の本体部５１が備えるパッド溝６３の後端と連通する。これにより、イヤーパッド５０が外耳道に挿入された際、笠部５３が変形して、本体部５１の外周面のみならず、円錐部１６の表面に押付けられた状態となっても、開口部６２とそれに対応するパッド溝６３及び筐体溝３１とが互いに連通するので、外耳道の内外の連通が維持される。
【００５０】
なお、本発明は前記実施の形態に限定されるものではなく、本発明の趣旨に基づいて種々変形させることが可能であり、それらを本発明の範囲から排除するものではない。
【産業上の利用可能性】
【００５１】
本発明は、少なくとも一部が外耳道に挿入されるイヤーパッド及び該イヤーパッドを有するイヤホンに適用することができる。
【符号の説明】
【００５２】
１０    イヤホン
１１    筐体
１２    前筐体
１２ａ、８５１    基部
１３    後筐体
１４    蓋筐体
１５    ケーブル保持部
１６    円錐部
１７    パッド取付部
１７ａ    係合凹部
２１    前方空間
２２    筐体音導孔
２４    後方空間
２５    前方エアダクト
２７    調整孔
２７ａ    第１調整孔
２７ｂ    第２調整孔
２８    後方エアダクト
３１    筐体溝
４１    ドライバユニット
５０、８５０    イヤーパッド
５１    本体部
５２    係合凸部
５３、８５５    笠部
５３ａ    前半部
５３ｂ    後半部
５４    先端接続部
５５    先端部
６１    パッド音導孔
６２    開口部
６３    パッド溝
６４    連通凹部
６５    空洞部
９１、８９１    電線ケーブル
８１１    ハウジング
８１５    音導管
８１６    音導孔
８５２    導管部
８５３    導孔部
８５６    小孔
【図１】
2011049654.tif 000003
【図２】
2011049654.tif 000004
【図３】
2011049654.tif 000005
【図４】
2011049654.tif 000006
【図５】
2011049654.tif 000007
【図６】
2011049654.tif 000008